(57)【要約】【課題】  安価な装置で同期信号を全てのカメラに時間差無く配信可能としたり、カメラ内に内蔵された同期装置が、他のカメラ内の同期装置と同じシャッタータイミングになることを保証することが可能なマルチカメラ同期システムを提供することを目的とする。【解決手段】  本発明の撮影システムは、あらかじめ設定されたパターンで信号を発生する信号源から発生する前記信号を検出可能な位置に設置された１以上のカメラからなり、前記カメラは前記信号に基づいてシャッタータイミングを生成する。【選択図】      図１
2009147597.tif 000002
【特許請求の範囲】
【請求項１】
あらかじめ設定されたパターンで信号を発生する信号源から発生する前記信号を検出可能な位置に設置された１以上のカメラからなり、
前記カメラは前記信号に基づいてシャッタータイミングを生成する
撮影システム。
【請求項２】
あらかじめ設定されたパターンで点滅するＬＥＤ点滅器を有し、
前記位置は前記ＬＥＤ点滅器を撮影可能な位置であって、
前記カメラは前記ＬＥＤ点滅器の発する光の点滅パターンに基づいてシャッタータイミングを生成するシャッタータイミング生成部
を含む請求項１記載の撮影システム。
【請求項３】
前記信号は電波により搬送される時刻情報であって、
前記カメラは、
前記時刻情報を取得する電波時計と、
前記時刻情報に基づいてシャッタータイミングを生成するシャッタータイミング生成部とを含む請求項１記載の撮影システム
【請求項４】
複数の前記カメラは同一の信号を検出し、
同一のシャッタータイミングを生成する
請求項１ないし３のいずれかに記載の撮影システム。
【請求項５】
あらかじめ設定されたパターンで信号を発生する信号源から発生した前記信号を検出する検出手段と、
前記検出手段により検出した信号に基づいてシャッタータイミングを生成する生成手段と、
を含むカメラ。
【請求項６】
前記信号源はＬＥＤ点滅器であって、
前記信号は光の点滅パターンであって、
前記検出手段は前記カメラの撮影機能により入力した情報を解析して光の点滅パターンを検出する手段であって、
前記検出手段により検出した光の点滅パターンに基づいてシャッタータイミングを生成するシャッタータイミング生成部を
含む請求項５記載のカメラ。
【請求項７】
前記検出手段は電波時計であって、
前記電波時計で取得した時刻情報に基づいてシャッタータイミングを生成するシャッタータイミング生成部、
を含む請求項５記載のカメラ。
【発明の詳細な説明】
【技術分野】
【０００１】
本発明は撮影システム、および、カメラに関し、特に、シャッタータイミングを制御する撮影システム、および、カメラに関する。
【背景技術】
【０００２】
複数のカメラを同期させて映像を撮影する場合、同期を取るために同期信号を全てのカメラに時間差無く配信してタイミングを合わせることが必要である。このために、同期信号を発生させる装置と全てのカメラ間を配線接続する（例えば、特許文献１）。
【０００３】
【特許文献１】特開２００５−１７４１４８号公報
【発明の開示】
【発明が解決しようとする課題】
【０００４】
上述した関連技術は、高価で大掛かりで複雑なものになるという課題があった。
【０００５】
本発明の目的は、上述した課題を解決する撮影システム、および、カメラを提供することにある。
【課題を解決するための手段】
【０００６】
本発明の撮影システムは、あらかじめ設定されたパターンで信号を発生する信号源から発生する前記信号を検出可能な位置に設置された１以上のカメラからなり、前記カメラは前記信号に基づいてシャッタータイミングを生成する。
【０００７】
本発明のカメラは、あらかじめ設定されたパターンで信号を発生する信号源から発生した前記信号を検出する検出手段と、前記検出手段により検出した信号に基づいてシャッタータイミングを生成する生成手段と、を含む。
【発明の効果】
【０００８】
本発明によれば、任意のタイミングでカメラのシャッタータイミングを生成することが可能になる。
【発明を実施するための最良の形態】
【０００９】
次に、本発明の実施の形態について図面を参照して詳細に説明する。
【００１０】
図１を参照すると、本発明の第１の実施の形態は、信号源１００と、カメラ２００とで構成されている。
【００１１】
カメラ２００は、生成部２１０を含んでいる。
【００１２】
信号源１００は、あらかじめ設定されたパターンで信号３００を発生する。
【００１３】
カメラ２００の生成部２１０は、信号源１００から発生する信号３００を検出する。そして、カメラ２００は、信号３００のパターンに基づいてシャッタータイミングを生成する。
【００１４】
カメラ２００は、信号源１００の発生する信号３００を検出可能な位置に設置されている。
【００１５】
生成部２１０の検出するパターンは、各カメラ２００の全てにおいて同一であってよい。また、生成部２１０の検出するパターンは、各カメラ２００の一部または全てにおいて異なってよい。
【００１６】
生成部２１０の生成するシャッタータイミングは、各カメラ２００の全てにおいて同一であってよい。生成部２１０の生成するシャッタータイミングは、各カメラ２００の一部または全てにおいて異なってよい。
【００１７】
本発明の第１の実施の形態は、あらかじめ設定されたパターンで信号を発生する信号源から発生した信号に基づいてシャッタータイミングを生成するカメラを、信号源から発生する前記信号を検出可能な位置に設置した。こうして、本発明の第１の実施の形態は、任意のタイミングで任意のカメラのシャッタータイミングを生成することが可能になるという効果を有している。
【００１８】
次に本発明の第２の実施の形態について図面を参照して詳細に説明する。
【００１９】
図２を参照すると、本発明の第２の実施の形態は、ＬＥＤ点滅器１１と、カメラ１〜Ｎを含む。カメラ１〜Ｎは、シャッタータイミング生成部１２を含む。
【００２０】
図２のように、本発明では同期させたい複数のカメラ１０全てから撮影可能な場所にＬＥＤ点滅器１１を設置する。
【００２１】
次に、第２の実施の形態動作について詳細に説明する。図２において、複数のカメラ１からカメラＮを同期させたい場合について説明する。
【００２２】
すべてのカメラ１〜Ｎは同じシャッタータイミング生成部１２を備えている。
【００２３】
ＬＥＤ点滅器１１は一定時間間隔ｔ［ｍｓ］でＯＮとＯＦＦの点滅を繰り返す。点滅のパターンは、例えば、１０回に一回はＯＮが連続するように設定することができる。また、時間間隔ｔ［ｍｓ］は自由に設定でき、例えば、１０００［ｍｓ］でも良いし、０．０１［ｍｓ］でも良く、自由に設定可能であるとする。また、１０回に一回の割合でＯＮを連続させると説明したが、１０回でなくても、例えば１００回でも良いし、例えば３回でも良く、任意に設定可能である。また、例えば、暗号化したＯＮ／ＯＦＦパターンを用いることも可能である。
【００２４】
カメラ１〜Ｎに内蔵されたシャッタータイミング生成部１２では、ＬＥＤ点滅器１１の点滅信号を取得する。そして、シャッタータイミング生成部１２は、ＯＮが連続したことを検出すると、Ｔ［ｍｓ］後にシャッターをきるようにタイミングを生成する。ここで、ＯＮが連続したらシャッタータイミングを生成すると説明したが、ＬＥＤ点滅器１１で暗号化したＯＮ／ＯＦＦパターンを用いる場合、予めシャッタータイミングの暗号パターンを決めておき、これに基づいてシャッタータイミングを生成することが可能である。またＴ［ｍｓ］後にシャッターを切るようなタイミングを生成すると説明したが、Ｔは自由に設定でき、例えば１０００［ｍｓ］でも良いし、０．０１［ｍｓ］でも良く、自由に設定可能である。
【００２５】
検出するパターンおよびＴを全てのカメラ１〜Ｎで同じ値に設定した場合、同じシャッタータイミングが生成される。従って、複数のカメラ１〜Ｎは、同期して撮影を行う。
【００２６】
本発明の第２の実施の形態は、同期させたい複数のカメラ全てから撮影可能な場所にＬＥＤ点滅器１１を設置し、全てのカメラに内蔵されたシャッタータイミング生成部１２においてＬＥＤ点滅器１１の点滅パターンに基づいてシャッタータイミングを生成するので全てのカメラで同じシャッタータイミングによる同期撮影が可能となる。
【００２７】
次に本発明の第３の実施の形態について図面を参照して詳細に説明する。
【００２８】
図３を参照すると、本発明の第３の実施の形態のカメラ２０は、電波時計２１と、シャッタータイミング生成部２２を有する。
【００２９】
電波時計２１は、時刻情報を取得する。
【００３０】
シャッタータイミング生成部２２は、時刻情報と予め定めた撮影開始時刻とシャッター周期からシャッタータイミングを生成する。
【００３１】
予め定めた撮影開始時刻とシャッター周期を複数のカメラ２０で同じ値に設定した場合、複数のカメラ２０は、同じシャッタータイミングによる撮影を実行する。
【００３２】
本発明の第３の実施の形態によれば、同期させたい複数のカメラ全てに内蔵されたシャッタータイミング生成部２２では電波時計２１で得た時刻情報と予め定めた撮影開始時刻とシャッター周期からシャッタータイミングを生成するので、全てのカメラで同じシャッタータイミングによる同期撮影が可能となる。
【００３３】
なお、本発明の各種の構成要素は、その機能を実現するように形成されていればよく、例えば、ハードウェア、プログラム、あるいはこれらの任意の組み合わせにより実現することができる。
【００３４】
以上の実施の形態１〜３によれば、安価な装置で同期信号を全てのカメラに時間差無く配信可能とし、カメラ内に内蔵された同期装置が、他のカメラ内の同期装置と同じシャッタータイミングになることを保証することが可能なマルチカメラ同期システムを構築することができるという効果がある。
【産業上の利用可能性】
【００３５】
本発明は、マルチカメラ同期システム、自動撮影システムなどに利用できる。
【００３６】
１１    ＬＥＤ点滅器１２  シャッタータイミング生成部２１  電波時計２２  シャッタータイミング生成部
【図面の簡単な説明】
【００３７】
【図１】本発明の第１の実施の形態の概略図である。
【図２】本発明の第２の実施の形態のマルチカメラ同期装置のブロック図である。
【図３】本発明の第３の実施の形態のカメラのブロック図である。
【符号の説明】
【００３８】
１    カメラ
１０    カメラ
１１    ＬＥＤ点滅器
１２    シャッタータイミング生成部
２０    カメラ
２１    電波時計
２２    シャッタータイミング生成部
１００    信号源
１〜Ｎ    カメラ
２００    カメラ
２１０    生成部
３００    信号
【図１】
2009147597.tif 000003
【図２】
2009147597.tif 000004
【図３】
2009147597.tif 000005